【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
無線通信システムにおける端末の動作方法において、
複数の周波数分割（Ｆｒｅｑｕｅｎｃｙ  Ｐａｒｔｉｔｉｏｎ：ＦＰ）の中から一つの周波数分割を確認する過程と、
セル識別子と前記周波数分割に割り当てられたサブバンドの個数に基づいて前記周波数分割に含まれた複数のサブバンドの中から一つのサブバンドを決定する過程と、
前記決定されたサブバンドに基づいてレインジング信号を伝送する過程と、を含む、
前記周波数分割に割り当てられたサブバンドの個数に、
ＦＰｉ領域に割り当てられたサブバンドＣＲＵ（Ｃｏｎｔｉｇｕｏｕｓ  Ｒｅｓｏｕｒｃｅ  Ｕｎｉｔ）の個数に基づいて決定され、
前記ＦＰｉは、
ｒｅｕｓｅ１  ｐａｒｔｉｔｉｏｎ又はｐｏｗｅｒ−ｂｏｏｓｅｔｄ  ｒｅｕｓｅ３  ｐａｒｔｉｔｉｏｎである周波数分割を意味する
ことを特徴とする方法。
【請求項２】
前記サブバンドは下記数式で決定され、
【数１】
2013539270.tif 000001
ここで、ＩＳＢはサブバンドインデックスを意味し、ｍｏｄはモジュラ演算を意味し、ＩＤｃｅｌｌはセル識別子、ＲＳＢは周波数分割に割り当てられた前記サブバンドの個数である
ことを特徴とする請求項１に記載の方法。
【請求項３】
前記ＲＳＢは下記数式で定義されることを特徴とする請求項２に記載の方法。
【数２】
2013539270.tif 000002
ここで、前記
【数３】
2013539270.tif 000003
はＦＰｉ領域に割り当てられたサブバンドＣＲＵ（Ｃｏｎｔｉｇｕｏｕｓ  Ｒｅｓｏｕｒｃｅ  Ｕｎｉｔ）の個数である。
【請求項４】
基地局から受信されたレインジング資源割当に対する情報に基づいて、前記レインジング信号の伝送時点を確認する過程をさらに含むことを特徴とする請求項１に記載の方法。
【請求項５】
前記セル識別子は、基地局から受信されたプリアンブル（ｐｒｅａｍｂｌｅ）から類推されることを特徴とする請求項１に記載の方法。
【請求項６】
無線通信システムにおける基地局の動作方法において、
複数の周波数分割（Ｆｒｅｑｕｅｎｃｙ  Ｐａｒｔｉｔｉｏｎ：ＦＰ）の中から一つの周波数分割を確認する過程と、
セル識別子と前記周波数分割に割り当てられたサブバンドの個数に基づいて前記周波数分割に含まれた複数のサブバンドの中から一つのサブバンドを決定する過程と、
前記決定されたサブバンドに基づいて送信されたレインジング信号を端末から受信する過程と、を含む、
前記周波数分割に割り当てられたサブバンドの個数に、
ＦＰｉ領域に割り当てられたサブバンドＣＲＵ（Ｃｏｎｔｉｇｕｏｕｓ  Ｒｅｓｏｕｒｃｅ  Ｕｎｉｔ）の個数に基づいて決定され、
前記ＦＰｉは、
ｒｅｕｓｅ１  ｐａｒｔｉｔｉｏｎ又はｐｏｗｅｒ−ｂｏｏｓｅｔｄ  ｒｅｕｓｅ３  ｐａｒｔｉｔｉｏｎである周波数分割を意味する
ことを特徴とする方法。
【請求項７】
前記サブバンドは下記数式で決定され、
【数４】
2013539270.tif 000004
ここで、ＩＳＢはサブバンドインデックスを意味し、ｍｏｄはモジュラ演算を意味し、ＩＤｃｅｌｌはセル識別子、ＲＳＢは周波数分割に割り当てられた前記サブバンドの個数である
ことを特徴とする請求項６に記載の方法。
【請求項８】
前記ＲＳＢは下記数式で定義されることを特徴とする請求項７に記載の方法。
【数５】
2013539270.tif 000005
ここで、前記
【数６】
2013539270.tif 000006
はＦＰｉ領域に割り当てられたサブバンドＣＲＵ（Ｃｏｎｔｉｇｕｏｕｓ  Ｒｅｓｏｕｒｃｅ  Ｕｎｉｔ）の個数である。
【請求項９】
基地局から受信されたレインジング資源割当に対する情報に基づいて、前記レインジング信号の伝送時点を確認する過程をさらに含むことを特徴とする請求項６に記載の方法。
【請求項１０】
前記セル識別子は、基地局から受信されたプリアンブル（ｐｒｅａｍｂｌｅ）から類推されることを特徴とする請求項６に記載の方法。
【請求項１１】
部分周波数再使用（Ｆｒａｃｔｉｏｎａｌ  Ｆｒｅｑｕｅｎｃｙ  Ｒｅｕｓｅ：ＦＦＲ）動作可否を確認する過程
をさらに含むことを特徴とする請求項１に記載の方法。
【請求項１２】
前記ＦＦＲ動作を支援しない際、セル識別子そして全体のサブバンドの個数に基づいてサブバンドを決定する過程をさらに含むことを特徴とする請求項１１に記載の方法。
【請求項１３】
無線通信システムにおける端末装置において、
複数の周波数分割（Ｆｒｅｑｕｅｎｃｙ  Ｐａｒｔｉｔｉｏｎ：ＦＰ）の中から一つの周波数分割を確認し、
セル識別子と前記周波数分割に割り当てられたサブバンドの個数に基づいて前記周波数分割に含まれた複数のサブバンドの中から一つのサブバンドを決定する制御器と、
前記決定されたサブバンドに基づいてレインジング信号を伝送する送信機と、を含む、
前記周波数分割に割り当てられたサブバンドの個数に、
ＦＰｉ領域に割り当てられたサブバンドＣＲＵ（Ｃｏｎｔｉｇｕｏｕｓ  Ｒｅｓｏｕｒｃｅ  Ｕｎｉｔ）の個数に基づいて決定され、
前記ＦＰｉは、
ｒｅｕｓｅ１  ｐａｒｔｉｔｉｏｎ又はｐｏｗｅｒ−ｂｏｏｓｅｔｄ  ｒｅｕｓｅ３  ｐａｒｔｉｔｉｏｎである周波数分割を意味する
ことを特徴とする装置。
【請求項１４】
前記サブバンドは下記数式で決定され、
【数７】
2013539270.tif 000007
ここで、ＩＳＢはサブバンドインデックスを意味し、ｍｏｄはモジュラ演算を意味し、ＩＤｃｅｌｌはセル識別子、ＲＳＢは周波数分割に割り当てられた前記サブバンドの個数である
ことを特徴とする請求項１３に記載の装置。
【請求項１５】
前記ＲＳＢは下記数式で定義されることを特徴とする１４に記載の装置。
【数８】
2013539270.tif 000008
ここで、前記
【数９】
2013539270.tif 000009
はＦＰｉ領域に割り当てられたサブバンドＣＲＵ（Ｃｏｎｔｉｇｕｏｕｓ  Ｒｅｓｏｕｒｃｅ  Ｕｎｉｔ）の個数である。
【請求項１６】
前記制御器は、
基地局から受信されたレインジング資源割当に対する情報に基づいて、前記レインジング信号の伝送時点を確認することを特徴とする請求項１３に記載の装置。
【請求項１７】
前記セル識別子は、基地局から受信されたプリアンブル（ｐｒｅａｍｂｌｅ）から類推されることを特徴とする請求項１３に記載の装置。
【請求項１８】
無線通信システムにおける基地局装置において、
複数の周波数分割（Ｆｒｅｑｕｅｎｃｙ  Ｐａｒｔｉｔｉｏｎ：ＦＰ）の中から一つの周波数分割を確認し、
セル識別子と前記周波数分割に割り当てられたサブバンドの個数に基づいて前記周波数分割に含まれた複数のサブバンドの中から一つのサブバンドを決定する制御器と、
前記決定されたサブバンドに基づいて送信されたレインジング信号を端末から受信する受信機と、を含む、
前記周波数分割に割り当てられたサブバンドの個数に、
ＦＰｉ領域に割り当てられたサブバンドＣＲＵ（Ｃｏｎｔｉｇｕｏｕｓ  Ｒｅｓｏｕｒｃｅ  Ｕｎｉｔ）の個数に基づいて決定され、
前記ＦＰｉは、
ｒｅｕｓｅ１  ｐａｒｔｉｔｉｏｎ又はｐｏｗｅｒ−ｂｏｏｓｅｔｄ  ｒｅｕｓｅ３  ｐａｒｔｉｔｉｏｎである周波数分割を意味する
ことを特徴とする装置。
【請求項１９】
前記サブバンドは下記数式で決定され、
【数１０】
2013539270.tif 000010
ここで、ＩＳＢはサブバンドインデックスを意味し、ｍｏｄはモジュラ演算を意味し、ＩＤｃｅｌｌはセル識別子、ＲＳＢは周波数分割に割り当てられた前記サブバンドの個数である
ことを特徴とする請求項１８に記載の装置。
【請求項２０】
前記ＲＳＢは下記数式で定義されることを特徴とする請求項１９に記載の装置。
【数１１】
2013539270.tif 000011
ここで、前記
【数１２】
2013539270.tif 000012
はＦＰｉ領域に割り当てられたサブバンドＣＲＵ（Ｃｏｎｔｉｇｕｏｕｓ  Ｒｅｓｏｕｒｃｅ  Ｕｎｉｔ）の個数である。
【請求項２１】
前記制御器は、
基地局から受信されたレインジング資源割当に対する情報に基づいて、前記レインジング信号の伝送時点を確認することを特徴とする請求項１８に記載の装置。
【請求項２２】
前記セル識別子は、基地局から受信されたプリアンブル（ｐｒｅａｍｂｌｅ）から類推されることを特徴とする請求項１８に記載の装置。
【請求項２３】
前記制御器は、
部分周波数再使用（Ｆｒａｃｔｉｏｎａｌ  Ｆｒｅｑｕｅｎｃｙ  Ｒｅｕｓｅ：ＦＦＲ）の動作可否を確認する
ことを特徴とする請求項１８に記載の装置。
【請求項２４】
前記制御器は、
前記ＦＦＲ動作を支援しない際、セル識別子そして全体のサブバンドの個数に基づいてサブバンドを決定することを特徴とする請求項２３に記載の装置。
【請求項２５】
基地局からレインジング資源割当に対する情報を受信する過程をさらに含む、
前記複数の周波数分割の中から一つの周波数分割を確認する過程は、
前記レインジング資源割当に対する情報に基づいて前記複数の周波数分割の中から一つの周波数分割を確認する過程を含む
ことを特徴とする請求項１に記載の方法。
【請求項２６】
前記レインジング資源割当に対する情報は、
前記複数の周波数分割の中から前記一つの周波数分割を示すスーパーフレームヘッダ（ＳｕｐｅｒＦｒａｍｅ  Ｈｅａｄｅｒ：ＳＦＨ）を含むことを特徴とする請求項２５に記載の方法。
【請求項２７】
レインジング資源割当に対する情報を放送する過程をさらに含む、
前記複数の周波数分割の中から一つの周波数分割を確認する過程は、
前記レインジング資源割当に対する情報に基づいて前記複数の周波数分割の中から一つの周波数分割を確認する過程を含む
ことを特徴とする請求項６に記載の方法。
【請求項２８】
前記レインジング資源割当に対する情報は、
前記複数の周波数分割の中から前記一つの周波数分割を示すスーパーフレームヘッダ（ＳｕｐｅｒＦｒａｍｅ  Ｈｅａｄｅｒ：ＳＦＨ）を含むことを特徴とする請求項２７に記載の方法。
【請求項２９】
基地局からレインジング資源割当に対する情報を受信する受信機をさらに含む、
前記制御器は、
前記レインジング資源割当に対する情報に基づいて前記複数の周波数分割の中から一つの周波数分割を確認することを特徴とする請求項１３に記載の装置。
【請求項３０】
前記レインジング資源割当に対する情報は、
前記複数の周波数分割の中から前記一つの周波数分割を示すスーパーフレームヘッダ（ＳｕｐｅｒＦｒａｍｅ  Ｈｅａｄｅｒ：ＳＦＨ）を含むことを特徴とする請求項２９に記載の装置。
【請求項３１】
レインジング資源割当に対する情報を放送する送信機をさらに含む、
前記制御器は、
前記レインジング資源割当に対する情報に基づいて前記複数の周波数分割の中から一つの周波数分割を確認する過程を含むことを特徴とする請求項１８に記載の装置。
【請求項３２】
前記レインジング資源割当に対する情報は、
前記複数の周波数分割の中から前記一つの周波数分割を示すスーパーフレームヘッダ（ＳｕｐｅｒＦｒａｍｅ  Ｈｅａｄｅｒ：ＳＦＨ）を含むことを特徴とする請求項３１に記載の装置。